(57)【特許請求の範囲】
【請求項１】
靴の底板から下方に突出する突出部と、
この突出部が嵌まり込む窪み部が設けられている踵体とを備え、
前記突出部には、重力により下方に突出すべく係合部が移動可能に設けられ、
前記窪み部には、前記突出部が出入り可能な出入空間と、突出部がスライドして出入空間との間で移動可能であるとともに突出部の上方への移動が阻止されている保持空間とが設けられ、この保持空間には前記突出部の係合部と係合する係止部が設けられ、
靴を上下反転させると、前記係合部と係止部との係合が重力により解除することを特徴とする靴。
【請求項２】
前記保持空間の内面には、上側に行くほど空間側に突出している下向き傾斜面が形成され、
この下向き傾斜面に対向する前記突出部の面には、下側に行くほど外側に突出している上向き傾斜面が形成されていることを特徴とする請求項１記載の靴。
【発明の詳細な説明】
【０００１】
【発明の属する技術分野】
本発明は、紳士靴、婦人靴、職業別適切靴およびダンスシューズ等の靴に関し、特に、靴の踵の取り付けに関する。
【０００２】
【従来の技術】
従来、一般的な靴の踵は接着剤やビスおよびクギなどで取り付けられ、簡単には交換することができなかった。
また、踵であるヒールの高さを簡易に変更することのできる靴が、たとえば特許文献１などに記載されている。この特許文献１の靴では、ヒールの高さを変更（高く）する際には、元々のヒールに追加のヒールを下側に着脱可能に取り付ける。そして、その取付構造は、１個の弾性フックを段部に引っ掛ける構造となっており、追加のヒールを取り外す際には、操作ボタンでフックを押し込んで、フックを段部から外している。
【０００３】
【発明が解決しようとする課題】
ところで、上記特許文献１などの靴では、ヒールの高さを変更することができるが、ヒールを高くした際には、元々のヒールと追加のヒールとの間の結合面が新しく結合されたヒールの中間部分に形成される構造がゆえに、接合面が外部に現れ、外観上見栄えが損なわれる。
また、追加のヒールを取り外す際には、靴を手で持ちながら、操作ボタンを操作して追加のヒールを取り外す必要があり、追加のヒールの取り外し作業に手間がかかる。
【０００４】
【特許文献１】
特開平１０−２１５９１４号公報
【０００５】
本発明は、以上のような課題を解決するためのもので、簡単に着脱を行うことができるとともに取付後は不用意に脱落することがない踵体を備えた靴を提供することを目的とする。
【０００６】
【課題を解決するための手段】
本発明の靴は、底板（２）から下方に突出する突出部（４）と、この突出部が嵌まり込む窪み部が設けられている踵体（３１）とを備えている。そして、前記突出部には、重力により下方に突出すべく係合部（１２）が移動可能に設けられ、前記窪み部には、前記突出部が出入り可能な出入空間（４１）と、突出部がスライドして出入空間との間で移動可能であるとともに突出部の上方への移動が阻止されている保持空間（４２）とが設けられ、この保持空間には前記突出部の係合部と係合する係止部（５３）が設けられ、靴を上下反転させると、前記係合部と係止部との係合が重力により解除する。
【０００７】
また、保持空間の内面には上側に行くほど空間側に突出している下向き傾斜面（４９）が形成され、この下向き傾斜面に対向する突出部の面には下側に行くほど外側に突出している上向き傾斜面（８）が形成されていることがある。
【０００８】
【発明の実施の形態】
次に、本発明における靴の実施の一形態を図１ないし図７を用いて説明する。図１は本発明における靴の側面図で、（ａ）は皮底タイプの踵体を取り付けた靴の図、（ｂ）が雨天用ゴム底タイプの踵体の図、（ｃ）が氷結用スパイク底タイプの踵体の図である。図２は靴の踵部の要部拡大図で、（ａ）が靴本体の後部底面図で、（ｂ）が踵体の平面図である。図３は突出部の説明図で、（ａ）が平面図、（ｂ）が（ａ）のＢ矢視図、（ｃ）が（ａ）のＣ矢視図、（ｄ）が側面図で（ａ）のＤ矢視図、（ｅ）が係合板の斜視図、（ｆ）が重力により係合板が下がった状態の突出部の側面図である。図４はボックスの説明図で、（ａ）が平面図、（ｂ）が（ａ）の B-B断面図、（ｃ）が（ａ）の C-C断面図、（ｄ）が（ａ）の D-D断面図である。図５は靴の要部断面図で、（ａ）が出入空間に突出部が位置している状態の図、（ｂ）が保持空間に突出部が位置している状態の図である。図６は上下反転した状態での靴の要部断面図である。図７は婦人靴の踵体の種類の例を説明するための模式的な説明図で、（ａ）が通常の踵体を取り付けた靴の図、（ｂ）がローヒールタイプの踵体の図、（ｃ）が２００２年流行タイプの踵体の図、（ｄ）がハイヒールタイプの踵体の図、（ｅ）がパンプスタイプの踵体の図、（ｆ）がパンプス＆スパイクタイプの踵体の図である。なお、図３（ｂ）および図４（ｂ）においては、突出部４およびボックス３６の上部が左側となる様に図示され、図３（ｃ）および図４（ｃ）においては、突出部４およびボックス３６の上部が右側となる様に図示されている。
【０００９】
足の甲を覆う甲被１の内側に底板（すなわち、中物芯）２は配置されるとともに、甲被１の下端の周縁部が底板２の周縁部に取り付けられる。靴の後部において、底板２を挟んで、上側に取付板３が、また、下側に突出部４が配置されている。取付板３および底板２にはボルト用貫通孔が形成されている。
【００１０】
突出部４は、底板２の下面に当接する上板部６、この上板部６から垂下する平断面略矩形の本体７を具備している。本体７の一側面（この実施の形態では前面）は略垂直に形成され、他の三側面は下側に行くほど外側に広がるように傾斜して上向き傾斜面８が形成されている。また、突出部４にはボルト孔９が形成されている。突出部４の下面には、凹部１１が形成されており、この凹部１１にスライド防止用係合部としての係合板１２が傾動可能に取り付けられている。そして、突出部４の下面を接地させた状態では、図３（ｄ）に図示するように、係合板１２は凹部１１内に収納されているが、突出部４を持ち上げると、図３（ｆ）に図示するように、係合板１２が重力により傾動し、係合板１２の先端が突出部４の下面から下方に突出する。
【００１１】
そして、取付板３と突出部４とで底板２を挟んだ状態にし、上側からボルト１９の先端を、取付板３および底板２のボルト用貫通孔に挿入し、突出部４のボルト孔９に螺合させて、底板２に突出部４を取り付ける。この様にして、図２（ａ）および図５に図示するように、突出部４は底板２から下方に突出した状態で設けられる。なお、突出部４の大きさは、靴の用途などにより、選択することができる。
【００１２】
この突出部４に踵体３１が着脱自在に取り付けられる。この踵体３１は、踵本体３２、および、この踵本体３２のボックス用凹部に嵌まるボックス３６を具備している。踵本体３２のボックス用凹部は、上方から嵌め込まれるボックス３６を丁度収納できる大きさに形成されている。このボックス３６にはボルト用貫通孔３７が形成されている。そして、ボルト３８をこのボルト用貫通孔３７に挿入してその先端を踵本体３２に螺合させることにより、ボックス３６は踵本体３２に固定される。
【００１３】
ボックス３６は、上面が開口しているとともに、その内部空間である窪み部は２個の区画、すなわち出入空間４１および保持空間４２を具備している。出入空間４１と保持空間４２同士は互いに連通しており、突出部４が略水平方向にスライド可能となっている。また、出入空間４１の上面開口４６は、突出部４の本体７が出入可能な大きさに形成されており、突出部本体７は上方から上面開口４６を通って出入空間４１に入ることができる。そして、出入空間４１が形成されている部分にはボルト用貫通孔３７が設けられているが、このボルト用貫通孔３７にはボルト３８の頭が位置しており、出入空間４１の底面は略平坦となっている。
【００１４】
保持空間４２の上面開口４８は、突出部本体７が出入りできないように、出入空間４１の上面開口４６よりも小さくなっている。そして、保持空間４２の３個の内側面（この実施の形態では、後面および左右側面）は、保持空間４２にスライドしてきた突出部４の側面に対向するとともに、上側に行くほど空間側に突出するように傾斜して下向き傾斜面４９が形成されている。この保持空間４２の下向き傾斜面４９は、突出部４の上向き傾斜面８と略平行となっており、突出部４が保持空間４２内に位置すると、下向き傾斜面４９と上向き傾斜面８とは接触し、突出部４が保持空間４２から上方に抜け出すことを阻止している。この様にして、突出部４の上向き傾斜面８は踵体３１の脱落を阻止する踵体脱落阻止部として機能して、保持空間４２の下向き傾斜面４９は踵体脱落阻止部に係合する踵体脱落阻止用係合部として機能している。
【００１５】
保持空間４２の底面５１には、保持空間４２に配置された突出部４の凹部１１に対向する位置に、前下りの傾斜面５２および、この傾斜面５２の前端に形成されたスライド防止用係止部である段部５３が形成されている。この段部５３に突出部４の係合板１２の先端が係合することにより、保持空間４２に位置する突出部本体７が出入空間４１側にスライドすることができなくなる。この様に、係合板１２および段部５３が留め機構として機能している。
【００１６】
そして、踵体３１を靴本体の突出部４に取り付ける際には、上方から突出部本体７を踵体３１の出入空間４１に挿入し、突出部本体７を出入空間４１に位置させ図５（ａ）に図示する状態にする。ついで、図５（ａ）の矢印で示すように、突出部４は後方に、一方踵体３１は前方に移動させ（なお、突出部４または踵体３１の何れか一方のみを移動させることも可能である）て、突出部４の本体７を出入空間４１から保持空間４２へスライドさせ、図５（ｂ）に図示する状態にする。突出部４の本体７が保持空間４２に位置すると、係合板１２が重力により下方に傾動し、係合板１２の先端部が踵体３１の段部５３に対向する。そのため、突出部４が保持空間４２から出入空間４１へスライドすることが、係合板１２と段部５３との係合により阻止される。また、突出部４の上向き傾斜面８が踵体３１の下向き傾斜面４９に係合することにより、靴が上方に持ち上げられた際に踵体３１が突出部４から脱落することが防止される。
【００１７】
そして、図５（ｂ）の状態では、突出部４の下面が、ボックス３６の保持空間４２の底面５１に当接している。したがって、人の荷重は突出部４からボックス３６を介して踵本体３２に加わって安定しており、留め機構１２，５３には直接荷重が加わることがなく、安全である。
【００１８】
一方、踵体３１を靴本体の突出部４から取り外す際には、図５（ｂ）の状態から上下反転させて図６に図示する状態にする。この図６の状態では、係合板１２が重力により傾動し突出部４の凹部１１内に収納され、係合板１２と段部５３との係合が解除される。ついで、突出部４を保持空間４２から出入空間４１へスライドさせた後に、踵体３１を上方に引っ張り上げて突出部４の本体７を出入空間４１から取り出す。
【００１９】
そして、図１および図７に図示するように、１つの靴本体に対して、複数のタイプの交換用の踵体３１を用意しておくと、適宜必要に応じて取り換えて、種々の用途に使用することができる。
【００２０】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
【００２１】
（１）甲被１、底板２、取付板３、突出部４、踵本体３２およびボックス３６などの材質は、革、樹脂や金属など適宜選択可能である。
（２）ボックス３６を設けないで、踵本体３２に直接、出入空間４１および保持空間４２を設けることも可能である。
（３）突出部４やボックス３６等の取付構造やその取付位置などは適宜変更可能である。
（４）実施の形態では、踵体３１は上面と下面とが略平行に形成されているが、下面を上面に対して傾斜させることも可能である。たとえば、外側（すなわち右側の靴では右側）の高さを内側の高さよりも大きく形成させることも可能である。
（５）突出部のスライド防止用係合部は係合板１２で構成されているが、重力により下方に突出することができるならば、その構造や形状などは適宜変更可能である。また、この係合部と係合する係止部は段部５３に限定されず、係合部と係合することができるならば、その構造や形状などは適宜変更可能である。
（６）踵体の脱落を阻止する踵体脱落阻止部は上向き傾斜面８で構成され、この踵体脱落阻止部に係合する踵体脱落阻止用係合部は下向き傾斜面４９で構成されているが、突出部４が保持空間４２に位置している際に踵体３１の脱落を防止することができるならば、踵体脱落阻止部および踵体脱落阻止用係合部の構造や形状などは適宜変更可能である。ただし、下向き傾斜面４９および上向き傾斜面８で構成すると、係合面積が広くなり安定して踵体３１を保持することができる。また、上向き傾斜面８や下向き傾斜面４９の個数や配置などは適宜変更可能である。
（７）出入空間４１および保持空間４２の配列方向は前後方向でも、また、左右方向でも可能である。
【００２２】
【発明の効果】
本発明によれば、踵体が着脱可能となっているので、適宜用途に合わせて踵体を簡単に交換することができる。そして、靴の底板から突出する突出部は、その略全体が踵体の窪み部に嵌め込まれるので、結合面が踵の中間部になく美観を損なうことがない。靴本体の突出部を踵体の窪み部の出入空間に挿入し、この出入空間に挿入した突出部を出入空間から保持空間にスライドすることにより、踵体を靴本体に簡単に取り付けることができる。この取付時には係合部が重力により下方に突出するので、係合部が係止部に係止されて突出部の出入空間へのスライドを防止し、踵体を安定して保持することができる。その結果、靴を履いて歩いている最中に、踵体が不用意に脱落することを極力防止することができる。一方、踵体の取外時には、靴を上下反転し、係合部を重力により引っ込める。すると、係合部の係止部との係合が解除し、突出部を出入空間へスライドさせることが可能となる。したがって、簡単に、踵体を靴本体から取り外すことができる。
【００２３】
また、保持空間の内面に下向き傾斜面が形成され、この下向き傾斜面に対向する突出部の面に上向き傾斜面が形成されている場合には、この下向き傾斜面と上向き傾斜面とが係合することにより、突出部が窪み部から上方へ外れることを防止している。したがって、係合面積が広くなり、突出部を窪み部に安定して保持することができる。その結果、踵体の結合部分におけるガタつきを極力防止することができる。
【図面の簡単な説明】
【図１】図１は本発明における靴の側面図で、（ａ）は皮底タイプの踵体を取り付けた靴の図、（ｂ）が雨天用ゴム底タイプの踵体の図、（ｃ）が氷結用スパイク底タイプの踵体の図である。
【図２】図２は靴の踵部の要部拡大図で、（ａ）が靴本体の後部底面図で、（ｂ）が踵体の平面図である。
【図３】図３は突出部の説明図で、（ａ）が平面図、（ｂ）が（ａ）のＢ矢視図、（ｃ）が（ａ）のＣ矢視図、（ｄ）が側面図で（ａ）のＤ矢視図、（ｅ）が係合板の斜視図、（ｆ）が重力により係合板が下がった状態の突出部の側面図である。
【図４】図４はボックスの説明図で、（ａ）が平面図、（ｂ）が（ａ）の B-B断面図、（ｃ）が（ａ）の C-C断面図、（ｄ）が（ａ）の D-D断面図である。
【図５】図５は靴の要部断面図で、（ａ）が出入空間に突出部が位置している状態の図、（ｂ）が保持空間に突出部が位置している状態の図である。
【図６】図６は上下反転した状態での靴の要部断面図である。
【図７】図７は婦人靴の踵体の種類の例を説明するための模式的な説明図で、（ａ）が通常の踵体を取り付けた靴の図、（ｂ）がローヒールタイプの踵体の図、（ｃ）が２００２年流行タイプの踵体の図、（ｄ）がハイヒールタイプの踵体の図、（ｅ）がパンプスタイプの踵体の図、（ｆ）がパンプス＆スパイクタイプの踵体の図である。
【符号の説明】
２  靴の底板
４  突出部
８  上向き傾斜面
１２  係合板（係合部）
３１  踵体
４１  出入空間
４２  保持空間
４９  下向き傾斜面
５３  段部（係止部）
【要約】【課  題】簡単に着脱を行うことができるとともに取付後は不用意に脱落することがない踵体を備えた靴を提供する。
【解決手段】靴は、底板（２）から下方に突出する突出部（４）と、この突出部が嵌まり込む窪み部が設けられている踵体（３１）とを備えている。そして、前記突出部には、重力により下方に突出すべく係合部（１２）が移動可能に設けられ、前記窪み部には、前記突出部が出入り可能な出入空間（４１）と、突出部がスライドして出入空間との間で移動可能であるとともに突出部の上方への移動が阻止されている保持空間（４２）とが設けられ、この保持空間には前記突出部の係合部と係合する係止部（５３）が設けられている。
【選択図】  図５【図１】
0003554561.tif 000002
【図２】
0003554561.tif 000003
【図３】
0003554561.tif 000004
【図４】
0003554561.tif 000005
【図５】
0003554561.tif 000006
【図６】
0003554561.tif 000007
【図７】
0003554561.tif 000008